(57)【要約】【課題】  体育館、多目的ホール等の床構造に関し、運動使用時の弾力性能に優れるとともに過大な荷重にも耐え、かつ施工性にも優れた床構造を提供することを課題とする。【解決手段】  スラブに立設した支持脚に支持される大引材４と、上記大引材の上部に配置され、板に連続した山部と谷部が形成されたデッキプレート６と、上記デッキプレートの谷部に配置された緩衝具９と、この緩衝具の上部に固定され、上面部が上記デッキプレートの山部より高い位置に設けられる根太材１２と、上記根太材の上部に敷設される床材とを有し、上記根太材に加わる荷重により上記緩衝具の圧縮変形が所定量に達したとき、上記デッキプレートの山部に上記床材が当接して上記緩衝具の変形が規制される構成である。【選択図】  図１
2006207145.tif 000002
【特許請求の範囲】
【請求項１】
スラブに立設した支持脚に支持される大引材と、
上記大引材の上部に配置され、板に連続した山部と谷部が形成されたデッキプレートと、
上記デッキプレートの谷部に配置された緩衝具と、
この緩衝具の上部に固定され、上面部が上記デッキプレートの山部より高い位置に設けられる根太材と、
上記根太材の上部に敷設される床材とを有し、
上記根太材に加わる荷重により上記緩衝具の圧縮変形が所定量に達したとき、上記デッキプレートの山部に上記床材が当接して上記緩衝具の変形が規制されることを特徴とする床構造。
【請求項２】
上記緩衝具は、上記根太材を取り付ける取付部が設けられた弾性体、この弾性体が載置される受け部、及びこの受け部から上方に屈曲しさらに上記デッキプレートの上面部に延びる翼部からなることを特徴とする請求項１記載の床構造。
【請求項３】
上記緩衝具は、上記受け部の下方に突出し上記デッキプレートの谷部の付近まで延出される規制部を有することを特徴とする請求項２記載の床構造。
【請求項４】
上記根太材は、上面部、側面部及びこれら側面部の下端の左右部からそれぞれ内向きに屈曲する係止部からなる断面Ｃ字状の長尺材からなる一方、
上記緩衝具には、上記弾性体の上部に配置されかつ上記根太材の係止部に係止され、上記根太材とともに上記弾性体を上記受け部との間で拘束する抜止め片が設けられたことを特徴とする請求項１，２又は３記載の床構造。
【発明の詳細な説明】
【技術分野】
【０００１】
本発明は、体育館、多目的ホール等において運動競技の他各種イベントが行える床構造に関する。
【背景技術】
【０００２】
従来、体育館等の大型建物は、運動の場として充分な運動性能が発揮できるように、床支持装置には床との間に弾性体を設け、或いは大引材を弾性体で支持する構造を採用し、弾力性能の良い床構造を構築している。
【０００３】
ここで近時、体育館等が通常に運動を行う場所として用いられる以外に、コンサート等の各種イベント会場として用いられる場合がある。このように体育館をイベント会場として使用する場合、会場設定等のためにフォークリフト等の重量機械が館内の床の上を走行し、また多数の人数が館内に出入りすることから床には過大な重量が作用する。このため、イベント会場としても使用される体育館では、床の支持装置は予め過大な重量に耐え得るように堅牢に構成する必要がある。
【０００４】
このように、過大な重量に耐え得る床構造の床は極めて硬く弾力性能の悪い構造となり、運動をする者のアキレス腱を痛めたり、また転倒したときに打撲、怪我などが起こりやすくなる等安全性においても問題を生じ、通常の運動を行う場所として充分な運動性能を発揮できない。
【０００５】
これに対して、特許文献１には図６に示すように、支持脚８０の上部に弾性体の変形量を制限する規制部材８２が配設され、床板８４から弾性体８６を所定量以上変形する荷重が作用する場合、床板からの荷重が規制部材８２を介して大引部材８８に直接作用する床装置が開示されている。また、特許文献２には、支持脚の高さ方向中間部に吸振材が設けられ、この吸振材の縦圧縮が所定量に達したときに相互当接可能となる上部及び下部の圧縮制限片が設けられている床用束基礎が開示されている。
【０００６】
【特許文献１】特開平２−２４０３６６号公報
【特許文献２】特開平７−３２４４１８号公報
【発明の開示】
【発明が解決しようとする課題】
【０００７】
さて、上記特許文献１及び特許文献２記載の床構造は、弾力性を確保する弾性体層の変位量を、ストッパ金具を用いて機械的に制限する形態である。このため、ストッパ金具の強度及びこれを受止める部材の強度を十分に確保する必要があり、また耐久性についても考慮を払う必要があり、設計上も困難を伴うものである。
【０００８】
本発明は上記問題点を解決するためになされたものであり、運動使用時の弾力性能に優れるとともに過大な荷重にも耐え、かつ施工性にも優れた床構造を提供することを目的とする。
【課題を解決するための手段】
【０００９】
以上の技術的課題を解決するため、本発明に係る床構造は、図１に示すように、スラブに立設した支持脚に支持される大引材４と、上記大引材の上部に配置され、板に連続した山部と谷部が形成されたデッキプレート６と、上記デッキプレートの谷部に配置された緩衝具９と、この緩衝具の上部に固定され、上面部が上記デッキプレートの山部より高い位置に設けられる根太材１２と、上記根太材の上部に敷設される床材とを有し、上記根太材に加わる荷重により上記緩衝具の圧縮変形が所定量に達したとき、上記デッキプレートの山部に上記床材が当接して上記緩衝具の変形が規制される構成である。
【００１０】
本発明に係る床構造は、図２,４,５に示すように、上記緩衝具９は、上記根太材を取り付ける取付部４８，６９が設けられた弾性体１０、この弾性体が載置される受け部４３，６２、及びこの受け部から上方に屈曲しさらに上記デッキプレートの上面部に延びる翼部４６からなる構成である。
【００１１】
本発明に係る床構造において、上記緩衝具は、上記受け部の下方に突出し上記デッキプレートの谷部の付近まで延出される規制部４４，７４を有する構成である。
【００１２】
本発明に係る床構造において、上記根太材１２は、上面部、側面部及びこれら側面部の下端の左右部からそれぞれ内向きに屈曲する係止部５６からなる断面Ｃ字状の長尺材からなる一方、上記緩衝具９には、上記弾性体１０の上部に配置されかつ上記根太材の係止部に係止され、上記根太材１２とともに上記弾性体１０を上記受け部４３，６２との間で拘束する抜止め片５７，７０が設けられた構成である。
【発明の効果】
【００１３】
本発明に係る床構造によれば、大引材の上部に配置されたデッキプレートと、デッキプレートの谷部に配置された緩衝具と、この緩衝具の上部に固定され、上面部が上記デッキプレートの山部より高い位置に設けられる根太材と、根太材の上部に敷設される床材とを有し、根太材に加わる荷重により緩衝具の圧縮変形が所定量に達したとき、デッキプレートの山部に床材が当接して緩衝具の変形が規制される構成を採用したから、床上で運動が行われるときには緩衝具によって床の衝撃が緩和され、また床上を重量機械が走行し或いは荷物等により床に過大な重量が作用したときは、床材はデッキプレートの上部で強固に支持されて高い荷重性能を有するとともに、弾性体の圧縮が制限されて弾性体のヘタリ或いは破損が防止されるという効果を奏する。
【００１４】
また、緩衝具をデッキプレートの谷部という安定した位置に固定する構造であるため、弾性体の弾力性能、大きさ等を適宜に選択できて運動時の弾力性能を高い水準で確保することができ施工も容易であるという効果がある。さらに、緩衝具がデッキプレートの谷部に設けられているため、競技の内容により、緩衝具の硬度を変更したい場合は、床材を剥すことにより緩衝具が現れ、これを所定の硬度をもつ緩衝具と簡単に取替えができるという効果がある。
【００１５】
本発明に係る床構造によれば、緩衝具は、弾性体が載置される受け部、及びこの受け部から上方に屈曲しさらにデッキプレートの上面部に延びる翼部からなるものとしたから、緩衝具がデッキプレートに好適かつ安定して固定できるという効果がある。
【００１６】
本発明に係る床構造によれば、緩衝具は、受け部の下方に突出しデッキプレートの谷部の付近まで延出される規制部を有する構成としたから、根太材が強固にデッキプレートに支持され衝撃にも強いという効果がある。
【００１７】
本発明に係る床構造によれば、緩衝具は、根太材の係止部に係止され、根太材とともに弾性体を受け部との間で拘束する抜止め片を有する構成としたから、根太材が緩衝具に拘束保持されて的確に弾性体に固定でき、また上下衝撃等によっても根太材が緩衝具から外れることがないという効果がある。
【発明を実施するための最良の形態】
【００１８】
以下、本発明に係る床構造の実施の形態を図面に基づいて説明する。
この床構造は、体育館、多目的ホール等において運動競技の他各種イベントが行えるものである。図１，２は上記床構造の側面図を、図３は上記床構造の斜視図を示したものである。この床構造は、支持脚２、大引材４、デッキプレート６、緩衝具９、根太材１２、パーチクルボード１４、構造用合板１６及び床板１８を有する。
【００１９】
上記支持脚２は、支持台２０、支持ボルト２２、ナット２４、ワッシャ２６、保持具２８及びボルトとナットからなる止着具３０を有する。この支持脚２は、支持ボルト２２およびナット２４を調節することで、保持具２８の高さを調整することができる。大引材４は断面四角形状で、上面板部３２、側面部３４及び下面板部３６からなる鋼製角パイプである。
【００２０】
上記デッキプレート６は、鋼板を連続した山谷状（断面台形状）にプレス加工した板材であり、山部の頂部を形成する上面部３８、傾斜状の側面を形成する側板部４０及び谷部の底面を形成する下面部４２からなる。このように、デッキプレート６の山部は断面が台形状で頂部の上面部３８は平坦であり、谷部の底面としての下面部４２も平坦な構成であることから、高い強度が確保されるとともに部材が安定して設置固定できる。
【００２１】
上記緩衝具９は、弾性体１０と受け具８からなる。この弾性体１０は、直方体状でゴム、合成樹脂等の弾性材からなる。弾性体１０の左右の側面部には、上記根太材１２を取り付けるために、内側に向けて少し切り込んだ切込部４８が設けられている。また弾性体１０には、弾力性を高めるため横向きに貫通した孔部５０が形成されている。受け具８は、中央に形成された平坦な受け部４３、この受け部の前後部位を下方に屈曲して形成された規制部４４、及び左右部位を斜め上方に屈曲し先端部を外向きにして取付部４５を設けた翼部４６を有している。上記弾性体１０は、受け具８の受け部４３に加硫接着や接着剤等で固定される。
【００２２】
上記根太材１２は、上面部５２、側面部５４及びこれら側面部５４の下端の左右部からそれぞれ内向きに屈曲する係止部５６からなる断面Ｃ字状の長尺のチャンネル鋼である。上記緩衝具９は、弾性体１０の切込部４８に根太材１２の係止部５６を係止させて根太材１２を固定する。
【００２３】
図４は、他の形態の緩衝具９を示したものである。この緩衝具９は、抜止め片５７を用いて、受け具８の上部に弾性体１１を介して根太材１２を固定する形態を示したものである。この抜止め片５７は、補強のため矩形状の基板の左右部を下方に屈曲成形した、断面コの字形状の板材であり、中央部には孔が設けられている。上記弾性体１１には中央部を上下に貫通する孔が設けられ、また受け具８の受け部４３の中央にも孔が設けられている。そして、上記抜止め片５７を、根太材１２の係止部５６の内側に係止させ、ボルト５８を抜止め片５７から弾性体１１及び受け部４３にわたって挿通させ、受け部４３の下部でナット５９を用いて締結し、根太材１２を緩衝具９に拘束保持する。この抜止め片５７により、上下振動等によっても根太材が緩衝具から外れることがない。
【００２４】
図５は、さらに他の形態の緩衝具９を示したものである。この緩衝具９は、受け部材６０、弾性体１３、抜止め片７０及び規制部材７１からなる。上記受け部材６０は、中央に形成された平坦な受け部６２、この受け部６２の前後部位を上方に屈曲したフランジ部６４、及び左右部位を斜め上方に屈曲し先端部を外向きにして取付部６８を形成した翼部６６を有している。
【００２５】
上記弾性体１３は、直方体状でゴム、合成樹脂等の弾性材からなり、左右の側面部には上記根太材１２を取り付ける切込部６９が設けられている。抜止め片７０は、矩形状の基板の左右部を下方に屈曲成形した断面コの字形状の板材である。規制部材７１は、雄ネジが刻設された柱部の上部及び中間部に、それぞれ止付部材７５及びフランジ部７６が形成される形態である。
【００２６】
上記緩衝具９は、受け部６２の上部に弾性体１３を載置し、この弾性体１３の上に抜止め片７０を配置する。これら受け部６２、弾性体１３及び抜止め片７０の中央部には上下に貫通孔が設けられており、これら３部材間に規制部材７１の円柱部を挿通させる。この規制部材７１は、円柱部の下部にはこの円柱部から膨出されたフランジ部７６が形成され、上部には弾性体１３を止め付けるスプリングワッシャーやナットからなる止付部材７５が設けられている。そして、弾性体１３の切込部６９に、根太材１２の係止部５６を係止固定する。また、上記規制部材７１には、上記受け部６２の下方に突出しデッキプレートの谷部の下面部４２まで延出される規制部７４が形成されている。この規制部７４により、根太材が強固にデッキプレートに支持され衝撃にも強い。
【００２７】
さて上記床構造は、デッキプレート６の下面部４２に上記緩衝具９を配置し、根太材１２を弾性支持する。このとき図２に示すように、根太材１２の上面部５２の位置は、デッキプレート６の上面部３８より所定間隔（ｈ）だけ高くなるように構成する。
【００２８】
この根太材１２の上部には床材が敷設され、大きな荷重がかかった場合、上記所定間隔（ｈ）の寸法分だけ緩衝具９の弾性体１０が圧縮変形し、このため根太材１２の上面部５２はデッキプレート６の上面部３８と同等の高さになり、この状態で床材はデッキプレート６の上面部３８で支持され弾性体１０の圧縮が制限される。
【００２９】
ここで、上記床構造の施工について説明する。スラブ面１に立設固定した上記支持脚２の保持具２８間に上記大引材４を架設し、支持脚２の支持ボルト２２及びナット２４を操作して保持具２８の高さを調整する。この大引材４は、保持具２８の側面部３３から止着具３０を差し渡し、これを大引材４の側面部５４に設けた孔を貫通させて保持具２８に保持固定する。次に、大引材４の上部に、この大引材４と溝方向が直交する方向にデッキプレート６を配置する。このデッキプレート６は、隣り合うデッキプレート６同士の一部を重ね合わせ、全体的には連続した山谷形状に配置する。
【００３０】
次に、根太材１２を緩衝具９とともにデッキプレート６の下面部４２に配置する。このとき、緩衝具９に設けられた弾性体１０の切込部４８に根太材１２の係止部５６を係止させて取り付ける。こうして根太材１２には複数の緩衝具９が取り付けられる。
【００３１】
そして、デッキプレート６の下面部４２に緩衝具９の規制部４４を載置する一方、翼部４６の取付部４５をデッキプレート６の上面部３８にビス３９等の止着具で固定する。このように、弾性体１０をデッキプレート６の下面部４２という安定した位置に固定する構造であることから、弾性体の硬さに左右されない設計が行なえ、このため弾力性能の高い弾性体１０を自由に選択することができ、弾力性能を高い水準で確保するのが容易である。また従来技術の緩衝規制具は大きな荷重がかかるとき、ストッパ金具はこの荷重に耐える構成をとらなければならないが、上記床構造はこのストッパ金具を用いない構成であるから、無理なく高い耐荷重性能が得られる。
【００３２】
この状態で、根太材１２は緩衝具９により弾性支持されている。そして、この根太材１２の上面部５２は、デッキプレート６の上面部３８よりも所定間隔（ｈ）高く位置するように構成されている。この間隔（ｈ）は、緩衝具９の弾性体１０の弾性強さ（硬さ）にもよるが５ｍｍ〜１０ｍｍが適当であり、ここでは７ｍｍとしている。また、フロアとして各種運動競技性能にマッチした弾性力を得るためには、弾性体１０の弾性強さを適宜に選択することで容易に対応できる。
【００３３】
上記根太材１２の上部には床材として、下張り（捨板）としてパーチクルボード１４及び構造用合板１６を配置し、この上に床板１８を敷設する。なお、デッキプレート６の上面部３８には、受け具８の取付部４５が介在するが、この取付部４５は小さい部分でありデッキプレート６の下面部に食い込むことから上記所定間隔（ｈ）には影響しない。
【００３４】
このように、上記実施の形態においては、デッキプレートで主力となる床下地構造を構成し、床板等で仕上げる二重構成の床組にすることで、その間に弾性圧縮可能な所定間隔のクリアランス確保することで、フロアとして変位の抑止機構をもった床構造が構成されている。
【００３５】
上記床構造により、通常、床板１８等は根太材１２によって支持され、この根太材１２は緩衝具９によって弾性支持されていることから、スポーツなどでの押圧力に対して好適な弾力性を有するスポーツフロアとなる。一方、展示会やコンサート等のイベント開催時にフォークリフト等の重量物がフロアを移動等するときは、床板１８等から根太材１２に加わる押圧力のため弾性体１０は弾性圧縮し、所定圧縮後は床材はデッキプレート６の上面部３８で強固に支持され弾性体の圧縮が規制される。
【００３６】
したがって、上記実施の形態に係る床構造によれば、スポーツ施設として良好な緩衝性を有するフロアが得られる一方、イベント開催時には重量物であってもデッキプレート等の下地組部で十分な強度が維持されるため、高い耐荷重性能を発揮する。また、緩衝具がデッキプレートの下面部という安定した位置に固定する構造であるため、弾力性の高い弾性体の選択が可能であり、運動時の弾力性能を高い水準で確保することができ施工も容易に行なえるという効果がある。
【図面の簡単な説明】
【００３７】
【図１】本発明の実施の形態に係る床構造の側面を示す図である。
【図２】実施の形態に係る床構造の側面の部分拡大図である。
【図３】実施の形態に係る床構造の部分斜視図である。
【図４】床構造における緩衝具の他の形態を示す側面図である。
【図５】床構造における緩衝具のさらに他の形態の（ａ）は斜視図を、（ｂ）は断面を示す図である。
【図６】従来例に係る床装置を示す図である。
【符号の説明】
【００３８】
２  支持脚
４  大引材
６  デッキプレート
８  受け具
９  緩衝具
１０，１１，１３  弾性体
１２  根太材
４３，６２  受け部
４４，７４  規制部
４８，６９  取付部（切込部）
５７，７０  抜止め片
【図１】
2006207145.tif 000003
【図２】
2006207145.tif 000004
【図３】
2006207145.tif 000005
【図４】
2006207145.tif 000006
【図５】
2006207145.tif 000007
【図６】
2006207145.tif 000008